(57)【要約】【課題】ペーパードリップ方式の簡略な構成のドリップバッグを、カップの開口部の壁の厚さに関わらず確実にカップにセットできるようにすると共に、注湯時の形状を安定させ、また、抽出中のシート材料の破れを防止する。【解決手段】ドリップバッグ１Ａが、袋本体２と、袋本体２の対向する２面の外表面に設けられた掛止部材３と補強片９からなる。袋本体２は通水性濾過性シート材料から形成され、掛止部材３は薄板状材料から形成される。掛止部材３は、貼着部１１、袋本体２の外表面から引き起こし可能に形成されたアーム部５及びアーム部５の両側に配置された一対の掛止片１２からなる。アーム部５は、その下端で貼着部１１と連続し、上部両側部で一対の掛止片１２と連続し、貼着部１１が、アーム部５の下端部を下方と両側方から囲む部位において袋本体２の外表面に貼着され、各掛止片１２が引っ掛け部１３を有する。【選択図】    図１
2004357929.tif 000002
【特許請求の範囲】
【請求項１】
上端部に開口部を有する袋本体と、袋本体の対向する２面の外表面に設けられた掛止部材と、掛止部材の外周部において袋本体の外表面に貼着された補強片からなるドリップバッグであって、
袋本体が通水性濾過性シート材料から形成され、
掛止部材が薄板状材料から形成され、
掛止部材が、袋本体の外表面に貼着された貼着部、袋本体の外表面から引き起こし可能に形成されたアーム部及びアーム部の両側に配置された一対の掛止片からなり、
アーム部が、その下端で貼着部と連続し、上部両側部で一対の掛止片と連続し、貼着部が、少なくとも、アーム部の下端部を下方と両側方から囲む部位において袋本体の外表面に貼着されており、
各掛止片が、その上部に、略水平方向に延びた引っ掛け部を有することを特徴とするドリップバッグ。
【請求項２】
貼着部と連続するアーム部の下端部が、掛止部材の幅方向の中央部に位置し、貼着部において袋本体の外表面に貼着されている部位が、前記アーム部の下端部を下方と両側方から囲む凹字形状をなしている請求項１記載のドリップバッグ。
【請求項３】
通水性濾過性シート材料、掛止部材及び補強片が生分解性材料からなる請求項１記載のドリップバッグ。
【請求項４】
請求項１〜３のいずれかに記載のドリップバッグに抽出原料が充填され、袋本体の上端が閉じられている飲料ドリップバッグ。
【請求項５】
抽出原料がコーヒー粉又は茶葉である請求項４記載の飲料ドリップバッグ。
【発明の詳細な説明】
【０００１】
【発明の属する技術分野】
本発明は、カップ等の容器の上部に掛止することにより、容易にドリップ式でコーヒー、紅茶、緑茶、漢方薬等の抽出液を得られるようにするドリップバッグに関する。
【０００２】
【従来の技術】
従来より、手軽に本格的なコーヒーを楽しむことを可能とするコーヒーの入れ方として、ペーパードリップ方式が広く普及している。このペーパードリップ方式では、通常、数人分（数杯分）のコーヒーが一度に抽出される。
【０００３】
一方、近年、一人暮らしをする者が多くなり、また、核家族化や出生率の低下等により一家族の構成人数も少なくなっている。そのため、従来の数杯分のコーヒーを抽出することが基本とされているペーパードリップ方式に代えて、一杯分のコーヒーの抽出を手軽に行えるようにすることを目的とした、使い捨てのワンドリップコーヒーが種々の製品形態で市場に出回っている。
【０００４】
中でも、簡略な構成を有するものとしては、コーヒー粉を入れた通水性濾過性シートからなる袋本体と、その袋本体をカップに掛止させるために、袋本体の側面に貼着された紙製等の掛止部材とからなるコーヒードリップバッグであって、掛止部材を特定形状にしたものが提案されている（特許文献１参照）。
【０００５】
図３（ａ）はこのコーヒードリップバッグ１００の平面図であり、図３（ｂ）、（ｃ）は、その使用状態の説明図である。このコーヒードリップバッグ１００は、上端部にミシン目７を設けた袋本体２と、袋本体２の対向する２面の外表面に設けられた掛止部材３と、掛止部材３の外周部に設けられた補強片９からなるドリップバッグ１の当該袋本体２にコーヒー粉を充填し、その上端の開口部を閉じたものである。
【０００６】
掛止部材３と補強片９は、紙、プラスチックシート等の薄板状材料に切込線を入れることにより形成されている。また、掛止部材３は、周縁部４とアーム部５と舌片部６からなり、舌片部６が袋本体２の外表面に貼着され、舌片部６の下部とアーム部５の下部が連続し、アーム部５の上端と周縁部４の上部とが連続している。図中、掛止部材３において、細かいドットで塗りつぶした部分は袋本体２に貼着されている部分であり、粗いドットで塗りつぶした部分は袋本体２に貼着されていない部分である。
【０００７】
コーヒードリップバッグ１００の使用時には、ミシン目７に沿って袋本体２の上端部を切除することにより開口し、周縁部４を矢印Ａのように引き起こし（図３（ｂ））、カップ３０の径に合わせて周縁部４をさらに引き起こし、それをカップの側壁３１にかける（図３（ｃ））。
【０００８】
これにより、袋本体２は、アーム部５によって対向する２面から矢印Ｂ方向に互いに反対方向に引っ張られ、開口部８が大きく広げられた状態でカップ３０の中央上部に吊されることとなる。そして、補強片９が、袋本体２を構成する表裏のシートが撓んで開口部８が閉ざされることを防止する。また、周縁部４がカップ側壁３１の外面を矢印Ｃ方向に押さえつける。このため、コーヒードリップバッグ１００は安定した状態でカップ３０の上部に固定されることとなる。
【０００９】
こうして、コーヒードリップバッグ１００を、カップ３０にセットした後は、開口部８から矢印のように注湯するだけで容易に美味しいコーヒーを得ることができる。またコーヒー抽出後のコーヒードリップバッグ１００の廃棄も容易に行うことができる。
【００１０】
また、このようなコーヒードリップバッグに関し、図４に示すように、開口部の壁３２の厚いカップ３０を使用する場合でも、安定にカップ３０にセットできるようにするため、周縁部４の上部中央部の両側に、アーム部５の上端と切り離される水平方向に延びた引っ掛け部１３を形成することも提案されている（特許文献２）。
【００１１】
【特許文献１】特許第３１６６１５１号公報
【特許文献２】ＷＯ０３／０１１０８９Ａ１
【００１２】
【発明が解決しようとする課題】
しかしながら、従来のコーヒードリップバッグによれば、コーヒーの抽出時には、図５に矢印で示すように、アーム部５や袋本体２に力がかかり、特に、アーム部５の基部で貼着されている舌片部６の下角部６ａのシート材料に負荷が集中し易い。そのため、シート材料が、例えば、低目付の不織布や湿式不織布等の機械的強度の低いものであると、舌片部６の下角部６ａからシート材料が破れてしまう場合があった。
【００１３】
また、周縁部４の上部中央部の両側に引っ掛け部１３を形成し、注湯前に、図６（ａ）に示すようににコーヒードリップバッグ１００をセットしても、注湯時には図６（ｂ）に矢印で示すように、周縁部４がハ字型に開いてしまい、安定性を欠く場合があった。
【００１４】
本発明は以上のような従来技術の課題を解決しようとするものであり、ペーパードリップ方式でコーヒー、紅茶、緑茶、漢方薬等の抽出液を得られるようにする簡略な構成のドリップバッグにおいて、カップの開口部の壁の厚さに関わらず確実にカップにセットできるようにすると共に、注湯時の形状を安定させ、また、抽出中のシート材料の破れを防止することを目的とする。
【００１５】
【課題を解決するための手段】
本発明者らは、通水性濾過性シートからなる袋本体と、薄板状材料からなる掛止部材とからなるドリップバッグにおいて、掛止部材を特定形状とすることにより、その掛止部材をカップにかけた場合に、掛止部材に、カップの開口部の壁に引っ掛かる部分を形成することができ、これによりカップの開口部の壁が厚い場合でも安定的にドリップバッグをカップにセットでき、さらに注湯時の形状も安定させられること、また袋本体に掛止部材を貼着する部位を特定形状とすることにより、抽出中に、袋本体を形成するシート材料が負荷の集中によって破れることを防止できることを見出した。
【００１６】
即ち、本発明は、上端部に開口部を有する袋本体と、袋本体の対向する２面の外表面に設けられた掛止部材と、掛止部材の外周部において袋本体の外表面に貼着された補強片からなるドリップバッグであって、
袋本体が通水性濾過性シート材料から形成され、
掛止部材が薄板状材料から形成され、
掛止部材が、袋本体の外表面に貼着された貼着部、袋本体の外表面から引き起こし可能に形成されたアーム部及びアーム部の両側に配置された一対の掛止片からなり、
アーム部が、その下端で貼着部と連続し、上部両側部で一対の掛止片と連続し、
貼着部が、少なくとも、アーム部の下端部を下方と両側方から囲む部位において袋本体の外表面に貼着されており、
各掛止片が、その上部に、略水平方向に延びた引っ掛け部を有することを特徴とするドリップバッグを提供する。
【００１７】
また、このドリップバッグに抽出原料が充填され、袋本体の上端が閉じられている飲料ドリップバッグを提供する。
【００１８】
【発明の実施の形態】
以下、本発明のドリップバッグ及びドリップバッグにコーヒー等の抽出原料をを充填した飲料ドリップバッグを、図面を参照しつつ詳細に説明する。なお、各図中、同一符号は同一又は同等の構成要素を表している。
【００１９】
図１（ａ）は、本発明の飲料ドリップバッグの一形態であるコーヒードリップバッグ１００Ａの一実施例の平面図であり、図１（ｂ）、（ｃ）は、それぞれその使用状態の説明図である。
【００２０】
コーヒードリップバッグ１００Ａに使用されているドリップバッグ１Ａは、通水性濾過性シート材料からなる袋本体２と、袋本体２の対向する２面の外表面に設けられた掛止部材３と、掛止部材３の外周部において袋本体２の外表面に貼着された補強片９からなっている。
【００２１】
袋本体２は、対向する表裏２つの矩形面２ａ、２ｂを有している。このような袋本体２は、例えば、一枚の矩形シートを二つ折りにし、その折山を矩形面２ａ、２ｂの下辺とし、矩形面２ａ、２ｂの両側辺２ｐ、２ｑを接着又は融着し（図１（ａ）において、横線のハッチングを付した部分）、上端部を開口部８として残すことにより形成することができる。袋本体２は、コーヒー粉が充填され後、その開口部８が封止される。なお、袋本体２の上端部には、予め、開封用にミシン目７を施しておく。
【００２２】
袋本体２を形成する通水性濾過性シート材料としては、所定量のコーヒー粉を充填し、注湯した場合にコーヒーの浸出が可能であるものを種々使用することができる。一般に、浸出用シート材料としては、例えば、ポリエステル、ナイロン、ポリエチレン、ポリプロピレン、ビニロン等の合成繊維、レーヨン等の半合成繊維、コウゾ、ミツマタ等の天然繊維の単独又は複合繊維からなる織布あるいは不織布、マニラ麻、木材パルプ、ポリプロピレン繊維等からなる混抄紙等、ティーバッグ原紙等の紙類が知られており、本発明においてもこれらを使用することができるが、コーヒードリップバッグ１００Ａの使用後の廃棄性の点から、通水性濾過性シート材料には生分解性繊維を含有させることが好ましい。生分解性繊維としては、ポリ乳酸、ポリブチレンサクシネート、ポリエチレンサクシネート等をあげることができる。
【００２３】
一方、掛止部材３は、袋本体２をカップ３０にかけるために、袋本体２の表裏の矩形面２ａ、２ｂの外表面にそれぞれ設けられている。図１の掛止部材３において、細かいドットで塗りつぶした部分が、袋本体２の外表面に熱融着又は接着により貼着された部分であり、粗いドットで塗りつぶした部分が貼着されていない部分である。この掛止部材３は、紙、プラスチックシート等の薄板状材料から形成されている。この薄板状材料も、コーヒードリップバッグの使用後の廃棄性の点から、ポリ乳酸、ポリブチレンサクシネート、ポリエチレンサクシネート等の生分解性材料から形成したものが好ましい。
【００２４】
掛止部材３は、袋本体２の外表面に貼着された貼着部１１とアーム部５と、アーム部５の両側に配置された一対の掛止片１２からなっている。
【００２５】
ここで、アーム部５は、掛止部材３の略中央部に位置し、その下端で貼着部１１と連続し、上部両側部で一対の掛止片１２と連続し、袋本体２から引き起こし可能に形成されている。
【００２６】
貼着部１１は、そのほぼ全面が袋本体２の外表面に貼着されており、この貼着部位は、アーム部５の下端部を下方と両側方から囲む凹字形状をなしている。
【００２７】
一対の掛止片１２は、それぞれアーム部５の上端中央部と連続しており、その連続部分が図１（ａ）において破線で示す折れ線Ｌ１となっている。また、各掛止片１２は、その上部に、略水平方向に延びた引っ掛け部１３を有し、全体として逆Ｕ字型になっている。
【００２８】
補強片９は、掛止部材３の上方と両側方において掛止部材３と当接する位置にあり、袋本体２の外表面に熱融着又は接着により貼着されている。補強片９をこのように掛止部材３に当接する位置に形成すると、一枚の薄板状材料の打ち抜きにより、容易に、かつ薄板状材料の無駄を抑えて低コストに、掛止部材３と補強片９とを同時に形成できるので好ましい。また、補強片９は、袋本体２の開口部に沿った帯状部分を有し、その帯状部分には、該帯状部分をコ字状に折るための折れ線Ｌ２が形成されている。
【００２９】
掛止部材３と補強片９の大きさについては特に限定はないが、コーヒードリップバッグ１００Ａをカップ３０へかけた場合に（図１（ｃ）参照）、小さすぎると袋本体２の形状の安定性が低下するので、例えば、袋本体２の高さＨ１  が７０〜１００ｍｍ、幅Ｗ１  が６５〜８５ｍｍである場合に、掛止部材３と補強片９を合わせた高さＨ２  を３５〜８５ｍｍ、幅Ｗ２  を３５〜７５ｍｍ程度とすることが好ましい。
【００３０】
このコーヒードリップバッグ１００Ａを使用してコーヒーを抽出する方法としては、まず、ミシン目７にそって袋本体２の上端部を切除することにより袋本体２を開口し、図１（ｂ）に矢印で示したように、一対の掛止片１２をアーム部５の両側から引き起こす。次に図１（ｃ）に示したように、カップ３０の開口部の径に合わせてさらにアーム部５と掛止片１２を引き起こし、掛止片１２をカップの側壁３１にかける。こうして、コーヒードリップバッグ１００Ａをカップ３０にセットした後、袋本体２の開口部８から注湯する。
【００３１】
このようにコーヒードリップバッグ１００Ａをカップ３０にセットすることにより、掛止片１２の引っ掛け部１３がカップ３０の開口部の壁３２に載るので、カップ３０の開口部の壁３２の厚さに関わらず、コーヒードリップバッグ１００Ａはカップ３０に極めて安定に掛止される。また、このとき掛止片１２が壁３２を表裏から挟むので、注湯時においても掛止片１２がハ字型に開くことがない（図６参照）。さらに袋本体２は、アーム部５によって対向する２面から矢印Ｂ方向に、互いに反対方向に引っ張られ、開口部８が大きく広げられる。この開口形状は補強片９によって良好に維持され、袋本体２の表裏の矩形面２ａ、２ｂが撓んで開口部８が閉ざされることが防止される。特に、袋本体２の開口部８に沿って設けられている補強片９の帯状部分を折れ線Ｌ２で折り曲げ、その帯状部分をコ字状にすることにより、カップ３０の開口部の径が小さい場合でも袋本体２の開口部８を広げた状態とすることができる。したがって、コーヒー抽出時の注湯が容易となる。
【００３２】
また、このコーヒードリップバッグ１００Ａによれば、貼着部１１と連続するアーム部５の下端部が、掛止部材３の幅方向の中央部に位置し、貼着部１１において袋本体２の外表面に貼着されている部位が、アーム部５の下端部を下方と両側方から囲むようように凹字形状となっているので、図３のコーヒードリップバッグ１００に比して、コーヒーの抽出時に貼着部１１の下角部１１ａのシート材料にかかる負荷が大きく緩和される。したがって、コーヒーの抽出時に袋本体２のシート材料が破れることが防止される。
【００３３】
なお、以上の説明では、コーヒードリップバッグ１００Ａをミシン目７で開口した後、コーヒードリップバッグ１００Ａをカップ３０にセットする例を示したが、本発明のコーヒードリップバッグ１００Ａの使用方法はこれに限られず、コーヒードリップバッグ１００Ａをカップ３０にセットした後、コーヒードリップバッグ１００Ａを開口してもよい。
【００３４】
図２は、本発明の異なる態様のコーヒードリップバッグ１００Ｂの平面図である。このコーヒードリップバッグ１００Ｂにおいても、細かいドットで塗りつぶした部分は、袋本体２の外表面に貼着された部位であり、粗いドットで塗りつぶした部分は貼着されていない部分である。
【００３５】
このコーヒードリップバッグ１００Ｂでは、カップ３０の壁を表裏から挟む部分の掛止片１２の間隔Ｗ３を引っ掛け部１３の長さＷ４に比して狭め、カップ３０にセットしたときの安定性を向上させている。また、帯状の補強片９を掛止片１２の上方のみに形成している。
【００３６】
この他、本発明は種々の態様をとることができる。例えば、上述のコーヒードリップバッグ１００Ａ、１００Ｂの袋本体２の上端部のミシン目７は、この部分の開口を容易にするために設けられているが、ミシン目７に代えて、この部分を容易に剥離することができる程度に熱接着によりシールしてもよい。
【００３７】
また、本発明のドリップバッグに充填する抽出原料としては、コーヒー粉に代えて紅茶、緑茶等の茶葉や、漢方薬等を使用してもよく、それにより種々の飲料ドリップバッグを得ることができる。
【００３８】
【発明の効果】
本発明によれば、ペーパードリップ方式でコーヒー、紅茶、緑茶、漢方薬等の抽出液を得られるようにする簡略な構成のドリップバッグにおいて、カップの開口部の壁の厚さに関わらず確実にカップにセットできると共に、注湯時の形状が安定し、また、抽出中のシート材料の破れを防止することができる。
【図面の簡単な説明】
【図１】実施例のコーヒードリップバッグの平面図（ａ）と使用状態の説明図（ｂ）、（ｃ）である。
【図２】他の実施例のコーヒードリップバッグの平面図である。
【図３】従来のコーヒードリップバッグの平面図（ａ）と使用状態の説明図（ｂ）、（ｃ）である。
【図４】従来のコーヒードリップバッグの使用状態の斜視図である。
【図５】従来のコーヒードリップバッグの使用時の問題点の説明図である。
【図６】従来のコーヒードリップバッグの使用時の問題点の説明図である。
【符号の説明】
１Ａ  ドリップバッグ
２    袋本体
３    掛止部材
４    周縁部
５    アーム部
７    ミシン目
８    開口部
９    補強片
１１    貼着部
１２    掛止片
１３    引っ掛け部
３０    カップ
３１    カップの側壁
３２    カップの開口部の壁
１００Ａ、１００Ｂ    実施例のコーヒードリップバッグ
【図１】
2004357929.tif 000003
【図２】
2004357929.tif 000004
【図３】
2004357929.tif 000005
【図４】
2004357929.tif 000006
【図５】
2004357929.tif 000007
【図６】
2004357929.tif 000008